(57)【要約】【課題】盗難に会った無線ノード装置の不正使用と、他のシステムへの転用を防止する。【解決手段】装置外部に固定されたコード情報保持媒体５からパスコードを読み取るためのインタフェース１７と、起動パスコードを記憶するための内部メモリ１３と、プロセッサ１１とからなり、起動パスコードと一致するパスコードを保持した適正なコード情報保持媒体が付随していること起動条件および稼動条件として運用される無線ノード装置。【選択図】図１
2008124880.tif 000002
【特許請求の範囲】
【請求項１】
無線基地局を介して他の装置と通信する無線ノード装置であって、
装置外部に固定されたコード情報保持媒体からパスコードを読み取るためのインタフェースと、
起動パスコードを記憶するための内部メモリと、
少なくとも起動ルーチンとパスコードチェックルーチンとを格納したプログラムメモリと、
無線ノード装置が稼動状態にある期間中に、上記パスコードチェックルーチンを定期的に実行して、上記コード情報保持媒体から読み取ったパスコードと上記内部メモリに記憶された起動パスワードとを照合し、パスワード不一致を検出した時、上記他の装置にアラームメッセージを送信し、無線ノード装置の再起動時に、上記起動ルーチンを実行して、上記コード情報保持媒体から読み取ったパスコードと上記内部メモリに記憶された起動パスワードとを照合し、パスワード不一致を検出した時、起動ルーチンの実行を停止するプロセッサとからなり、
適正なコード情報保持媒体を付随させて運用される無線ノード装置。
【請求項２】
前記プロセッサが、前記アラームメッセージを送信した後、該無線ノード装置の機能を停止することを特徴とする請求項１に記載の無線ノード装置。
【請求項３】
前記プロセッサが、前記起動ルーチンを最初に実行した時点で、前記コード情報保持媒体から読み取ったパスコードを前記内部メモリに起動パスワードとして記憶することを特徴とする請求項１に記載の無線ノード装置。
【請求項４】
前記インタフェースが、前記コード情報保持媒体と１組の接続線で結合されていることを特徴とする請求項１に記載の無線ノード装置。
【請求項５】
前記インタフェースと前記コード情報保持媒体とが、パスコードのビット位置と対応した複数対の入、出力線で結合され、
前記コード情報保持媒体が、表面に上記各入、出力線と接続された配線パターンを有し、各配線パターンの接続／断線状態の組み合わせによって前記パスコードを表しており、
前記インタフェースが、上記入、出力線の接続／切断状態を判定して、上記コード情報保持媒体からパスコードを読み取ることを特徴とする請求項４に記載の無線ノード装置。
【請求項６】
前記コード情報保持媒体が、裏面に粘着層を有し、該粘着層によって該無線ノード装置の近傍に固定されることを特徴とする請求項５に記載の無線ノード装置。
【請求項７】
前記インタフェースが、前記コード情報保持媒体と無線で結合されていることを特徴とする請求項１に記載の無線ノード装置。
【請求項８】
前記コード情報保持媒体が、前記パスコードを記憶した半導体ＩＣからなることを特徴とする請求項１に記載の無線ノード装置。
【請求項９】
前記プロセッサに結合されたセンサ部を備え、
前記プロセッサが、上記センサ部の出力に基いて生成した監視情報を前記他の装置に送信することを特徴とする請求項１〜請求項８の何れかに記載の無線ノード装置。
【請求項１０】
前記他の装置が、センサネットシステムの監視センタとなる端末装置であることを特徴とする請求項９に記載の無線ノード装置。
【発明の詳細な説明】
【技術分野】
【０００１】
本発明は、無線ノード装置に関し、更に詳しくは、センサで検知した情報を無線基地局を介して他の装置に送信するセンサネット用ノードに適した無線ノード装置に関する。
【背景技術】
【０００２】
それぞれセンサ部を備えた複数の無線ノード装置（以下、センサノードと言う）が、無線基地局を介して、無線ＬＡＮに接続された監視センタと通信するセンサネットは、人による監視が行き届かない場所での監視システムとして有効である。
センサノードには、例えば、監視カメラ、温度センサ、有害ガスセンサなど、監視目的に応じたセンサユニットが搭載されている。各センサノードは、無線ＬＡＮを構成する複数の基地局のうちの１つと交信可能な範囲内に配置され、センサ部で検知した周辺の状態情報を無線基地局、無線ＬＡＮ経由で監視センタに報告する。監視結果の報告は、定期的あるいは異常状態を検知した時に自律的に、または、監視センタからの指令に応答する形で行われる。
【０００３】
センサネットを構成するセンサノードは、監視センタから離れた位置に設置され、通常は、人目につきにくい場所で稼動している。従って、例えば、セキュリティ用の監視システムでは、監視区域への不正侵入者によるセンサノードの破壊や、監視範囲をずらすためのセンサノードの設置状態変更などの被害が発生する。また、センサノードの機器仕様の標準化が進み、汎用性が増すと、稼動中の監視システムから盗まれたセンサノードが転売され、別の監視システムで再利用される危険性が高まる。このような犯罪に対しては、センサノードの認証や、暗号化通信に代表される従来の情報セキュリティ技術では効果が乏しいため、新たな対策技術が必要とされる。
【０００４】
物品の盗難防止技術としては、小売業で用いられているセキュリティーゲートや、盗難防止タグなどが知られている。盗難防止タグは、ワイヤなどの強いケーブル部材によって商品に取り付けられており、本来あるべき位置から商品が不正に持ち出された時、タグ係留ケーブルの断線を検知して、警報を発する機能を備えている。
【０００５】
特開平１１−２４５７０号公報（特許文献１）には、例えば、遊戯用プログラムを格納したＲＯＭなどの部品が不正に取り替えられるのを防止する特殊な封印シールが提案されている。この封印シールは、表面に抵抗体または導電体で形成した配線パターンを有し、配線パターンの両端はセンサに接続されている。封印が不正に破られると、配線パターンが破損する。従って、配線パターンの端子間の導電状態をセンサで監視することによって、封印の開封を電気的に検知することができる。
【０００６】
特開２００４−１３９２８５号公報（特許文献２）には、商品に貼られる粘着ラベルと、ラベルホルダと、ラベルホルダに接続されたコントローラとからなる盗難防止装置が提案されている。粘着ラベルには、ラベル表面に形成された配線パターンの破壊を助長するラベル破断部が形成されている。また、配線パターンの両端は、ラベルホルダで２本のリード線に結合され、リード線間の導電状態の変化をコントローラで監視している。何者かが粘着ラベルを商品から剥がそうとした時、ラベル破断部によって配線パターンが破壊し、リード線間が断線状態となるため、上記コントローラによって、粘着ラベルの不正な取り外しを検出し、ブザーを鳴動させることができる。
【０００７】
【特許文献１】特開平１１−０２４５７０号公報
【特許文献２】特開２００４−１３９２８５号公報
【発明の開示】
【発明が解決しようとする課題】
【０００８】
広域環境センシングや、公共インフラの監視に用いられるセンサネットにおいては、管理者が監視ゾーンから離れた位置にいる場合が多く、センサノードから警報を発したとしても、管理者が短時間で現地に到着することは難しい。そのため、センサノードの盗難を防止し、不正侵入者の逃走を阻止することが困難となる。
【０００９】
情報機器の不正使用を阻止する技術として、機器の使用時に、利用者にパスワードの入力を要求し、これを予め登録されたパスワードと照合する方法がある。パスワード方式によれば、正当なパスワードを知らない者は、機器を使用することできないため、機器の不正使用は防止できる。
【００１０】
しかしながら、センサノードのようにシステムに組み込まれた情報機器では、ユーザが所有する単体ＰＣや携帯電話などとは異なって、キーボードのようなパスワード入力手段を備えていない。また、多くの場合、センサネットは企業によって管理され、ノード装置は、不特定の作業員によって保守される。そのため、一旦動作を停止させたノード装置を保守作業の完了時にパスワード方式で再起動するためには、各作業者が、起動パスワードを記録した何らかの媒体を持ち歩く必要があり、パスワードの管理に問題がある。
また、センサノードの盗難と不正な移動を防止するためには、各ノード装置を設置箇所に強固に固定しておく必要があるが、これは、保守作業における部品や装置の交換を困難にし、維持コストの上昇を招く。
【００１１】
本発明の目的は、盗難に会った無線ノード装置の不正使用と、他のシステムへの転用を防止することにある。
【課題を解決するための手段】
【００１２】
上記目的を達成するため、本発明の無線ノード装置は、
装置外部に固定されたコード情報保持媒体からパスコードを読み取るためのインタフェースと、起動パスコードを記憶するための内部メモリと、少なくとも起動ルーチンとパスコードチェックルーチンとを格納したプログラムメモリと、
無線ノード装置が稼動状態にある期間中に、上記パスコードチェックルーチンを定期的に実行して、上記コード情報保持媒体から読み取ったパスコードと上記内部メモリに記憶された起動パスワードとを照合し、パスワード不一致を検出した時、上記他の装置にアラームメッセージを送信し、無線ノード装置の再起動時に、上記起動ルーチンを実行して、上記コード情報保持媒体から読み取ったパスコードと上記内部メモリに記憶された起動パスワードとを照合し、パスワード不一致を検出した時、起動ルーチンの実行を停止するプロセッサとからなり、適正なコード情報保持媒体を付随させて運用されることを特徴とする。
【００１３】
本発明の無線ノード装置は、センサ部を備えることによって、センサネット用のノード装置として機能する。更に詳述すると、本発明の無線ノード装置では、プロセッサが、上記起動ルーチンを最初に実行した時点で、コード情報保持媒体から読み取ったパスコードを内部メモリに起動パスワードとして記憶する。また、上記コード情報保持媒体とインタフェースは、有線または無線によって結合される。
【００１４】
本発明の１実施例では、上記コード情報保持媒体とインタフェースが、パスコードのビット位置と対応した複数対の入、出力線で結合され、上記コード情報保持媒体が、表面に上記各入、出力線と接続された配線パターンを有し、各配線パターンの接続／断線状態の組み合わせによってパスコードを表しており、上記インタフェースが、上記入、出力線の接続／切断状態を判定して、上記コード情報保持媒体からパスコードを読み取る。
【発明の効果】
【００１５】
本発明の無線ノード装置は、適正なコード情報保持媒体が付随していること１つの起動条件としており、再起動時に、コード情報保持媒体から、内部メモリに記憶した起動パスコードと一致するパスコードが読み取れなければ、起動ルーチンの実行を停止するようになっている。従って、無線ノード装置が盗難に会った場合でも、コード情報保持媒体を紛失または破損していれば、無線ノード装置を動作させることができないため、盗難に対する抑止力をもつことになる。
【００１６】
また、本発明の無線ノード装置は、装置外部に固定されたコード情報保持媒体からパスコードを読み取るようになっているため、無線ノード装置を設置位置から不用意に移動、または取り外した時、コード情報保持媒体が現場に残されるか、接続線に引っ張られて破損するようにしておくことによって、無線ノード装置の異常を検知して、アラームメッセージを送信させることができる。
【発明を実施するための最良の形態】
【００１７】
以下、図面を参照して、本発明の実施例について説明する。
図２は、本発明のセンサノードが適用されるセンサネットの構成例を示す。
センサネットは、それぞれセンサ部を備えた複数のセンサノードＳＮ（１Ａ、１Ｂ、１Ｃ、１Ｄ、１Ｅ、・・・）と、ＬＡＮ４に接続された複数の無線基地局２（２Ａ、２Ｂ、・・・）および監視センタ３とからなる。各センサノードＳＮは、何れかの無線基地局２と無線通信可能な位置に配置され、センサ部が検出した周囲の監視情報を無線基地局２を介して監視センタ３に送信する。監視センタ３は、センサ部の機能に応じた表示機能をもつ制御装置によって構成される。
【００１８】
図１は、本発明によるセンサノードＳＮの１実施例を示す。
センサノードＳＮは、主制御ボード１０と、無線通信用アンテナ２０、センサ部２１、表示部２２、電源２３、電源スイッチ２４、リセットスイッチ２５からなる。電源２３の種類は特に限定されないが、ボタン電池、乾電池等の使い切り型の電池、リチウム・イオン電池等の充電式の電池、または太陽電池や、信号発電素子等を備えた発電装置が適用される。
【００１９】
主制御ボード１０は、プロセッサ１１と、各種のプログラムと制御データが格納されたＲＯＭ１２と、データ書換えが可能なＥＥＰＲＯＭ１３およびＲＡＭ１４と、アンテナ２０に接続されたＲＦ回路１５と、表示部２２に接続された表示制御回路１６と、パスコード・インタフェース１７とからなり、これらの要素とセンサ部２１は、内部バス１８によって相互接続されている。
【００２０】
ＲＯＭ１２には、本発明に関係するソフトウェアとして、図４で後述する起動ルーチン１００と、センサノードＳＮの機能的な動作を実現する主プログラム２００と、図５で後述するパスコード定期チェックプログラム３００が格納されている。また、ＥＥＰＲＯＭ１３には、ノードＩＤ、ＭＡＣアドレス等の制御情報と、起動ルーチン１００とパスコード定期チェックプログラム３００が参照する起動パスコード１３０とが記憶される。
【００２１】
本発明の特徴は、各センサノードＳＮに付随してコード情報保持媒体５が用意されたことにある。コード情報保持媒体５には、センサノード毎に固有のパスコードとなるセキュリティパスコードが記憶されている。本実施例では、コード情報保持媒体５は、パスコード・インタフェース１７と接続線Ｌで接続され、コード情報保持媒体５に記憶されたセキュリティパスコードが、パスコード・インタフェース１７によって読み出される。
【００２２】
リセットＳＷ２５が押された時に実行される起動ルーチン１００と、所定周期で実行されるパスコード定期チェックプログラム３００は、コード情報保持媒体５から読み出されたセキュリティパスコードと、ＥＥＰＲＯＭ１３に記憶された起動パスコード１３０とを照合して、センサノードＳＮとコード情報保持媒体５との対応関係を判定する。起動ルーチン１００の最初の実行時に、コード情報保持媒体５から読み出されたセキュリティパスコードが、起動パスコード１３０としてＥＥＰＲＯＭ１３に登録される。一旦、ＥＥＰＲＯＭ１３に起動パスコード１３０が登録された状態で、コード情報保持媒体５からセキュリティパスコードが正常に読み出せなくなった時、あるいはセキュリティパスコードと起動パスコード１３０との不一致が検出された時、センサノードＳＮの起動停止、あるいは監視センタへのアラームメッセージの送信などのセンサノード保護機能が働く。
【００２３】
図３は、コード情報保持媒体５とパスコード・インタフェース１７の１実施例を示す。
本実施例のコード情報保持媒体５は、シートの表面に複数組の入、出力端子ＴＩ−ｊ、ＴＯ−ｊ（ｊ＝１〜ｎ）を有し、それぞれの入出力端子間に配線Ｃｊ（ｊ＝１〜ｎ）をもつ結線シートで構成されている。結線シートは、例えば、×印を付した配線Ｃ１、Ｃ３が示すように、特定の配線の一部を剥ぎ取ることによって断線（ＯＦＦ）状態としてある。例えば、導通状態（ＯＮ）にある配線をビット「１」、断線状態（ＯＦＦ）にある配線をビット「０」に対応付けると、結線シート上の配線のＯＮ、ＯＦＦの組み合わせによって、ｎビットのセキュリティパスコードを表すことができる。
【００２４】
本実施例では、パスコード・インタフェース１７は、複数組の入、出力端子ＰＩ−ｊ、ＰＯ−ｊ（ｊ＝１〜ｎ）と、読取り制御回路１７０と、セレクタ１７２と、読取り制御回路１７０に接続されたレジスタ１７３とからなっている。
【００２５】
入、出力端子ＰＩ−ｊ、ＰＯ−ｊは、接続線Ｌｊによって、コード情報保持媒体（結線シート）５上の入、出力端子ＴＩ−ｊ、ＴＯ−ｊ（ｊ＝１〜ｎ）と接続されている。本実施例では、各出力端子ＰＯ−ｊに、抵抗素子Ｒ１とＲ２で分圧された電圧Ｖを印加しておき、各入力端子ＰＩ−ｊの電位をセレクタ１７２を介して読取り制御回路で検出できるようになっている。
【００２６】
読取り制御回路１７０は、内部バス１８（制御バス１８Ｃ）を介して、プロセッサ１１からセキュリティパスコードの読取り指令を受けると、セレクタ１７２を制御し、入力端子ＴＩ−ｊ（ｊ＝１〜ｎ）に現れる電位を順次に判定する。配線配線Ｃｊが導通状態であれば、セレクタ１７２の出力は、ビット「１」を示す所定電位となり、配線配線Ｃｊが断線状態であれば、セレクタ１７２の出力は、ビット「０」を示すゼロ電位となる。読取り制御回路１７０は、セレクタ１７２の出力を２値判定することによって、コード情報保持媒体（結線シート）５が示すセキュリティパスコードの各ビットの値を特定し、レジスタ１７３に順次に記憶する。
【００２７】
レジスタ１７３にｎビットのセキュリティパスコードが格納された時点で、読取り制御回路１７０は、プロセッサ１１に対して、内部バス（制御バス１８Ｃ）を介して、セキュリティパスコードの読取り完了を通知する。プロセッサ１１は、レジスタ１７３に格納されたｎビットのセキュリティパスコードを内部バス１８（データバス１８Ｄ）を介して読み込む。但し、セキュリティパスコードの読取り完了通知を省略して、読取り指令を発行してから所定時間が経過した時点で、プロセッサ１１が、自律的にレジスタ１７３をアクセスするようにしてもよい。
【００２８】
図４は、起動ルーチン１００のフローチャートを示す。起動ルーチン１００は、センサノードＳＮの保守員が、電源スイッチ２４を操作して電源２３をＯＮ状態にした後、リセットスイッチ２５を操作した時、プロセッサ１１によって実行される。
【００２９】
起動ルーチン１００が実行されると、プロセッサ１１は、メモリ１２〜１３の状態をチェック（ステップ１０１）した後、パスコードチェックルーチン４００を実行する。
【００３０】
パスコードチェックルーチン４００では、図６に示すように、先ず、コード情報保持媒体５からセキュリティパスコードを読み取る（４０１）。本実施例では、セキュリティパスコードの読み取り（４０１）は、プロセッサ１１が、制御バス１８Ｃを介して、パスコード・インタフェース１７にパスコードの読取り指令を与えることを意味している。
【００３１】
プロセッサ１１は、コード情報保持媒体５から読み取られたセキュリティパスコードの値から、セキュリティパスコードが正常に読み取られたか否か（リードエラーの有無）を判定する（４０２）。例えば、コード情報保持媒体５が存在していなかった場合や、パスコード・インタフェース１７とコード情報保持媒体５との接続線Ｌが断線していた場合、レジスタ１７３のセキュリティパスコードの値がゼロとなる。プロセッサ１１は、セキュリティパスコードの値が、予め決められた許容範囲内になければ、リードエラーと判定し、表示部２２にパスコードエラー・メッセージを出力し（４０８）、パスコードチェック結果をＮＧにして（４０９）、このルーチンを終了する。
【００３２】
コード情報保持媒体５からセキュリティパスコードが正常に読み取られた場合、プロセッサ１１は、メモリ（ＥＥＰＲＯＭ）１３から起動パスコード１３０を読み取る（４０３）。もし、起動パスコード１３０が未登録の場合、セキュリティパスコードを起動パスコード１３０としてメモリ（ＥＥＰＲＯＭ）１３に登録し（４０６）、パスコードチェック結果をＯＫにして（４０７）、このルーチンを終了する。
【００３３】
メモリ（ＥＥＰＲＯＭ）１３に起動パスコード１３０が登録済みとなっていた場合、プロセッサ１１は、コード情報保持媒体５から読み取ったセキュリティパスコードと、起動パスコード１３０とを照合する（４０５）。プロセッサ１１は、これら２つのパスコードが不一致の場合は、ステップ４０８、４０９を実行し、一致した場合は、ステップ４０７を実行して、このルーチンを終了する。
【００３４】
図４に戻って、プロセッサ１１は、パスコードのチェック結果を判定し（１０２）、パスコードＯＫの場合は、センサノードの機能チェックを実行する（１０３）。センサノードとしての機能に異常が見つかった場合、プロセッサ１１は、表示部２２にエラーメッセージを出力して（１０５）、このルーチンを終了する。センサノード機能に異常が無ければ、プロセッサ１１は、主プログラム２００を起動する。これによって、センサノードＳＮは、主プログラム２００に従った所定監視モードでの動作状態に移行する。パスコードのチェック結果がＮＧの場合、プロセッサ１１は、主プログラム２００を実行することなく、この起動ルーチン１００を終了する。
【００３５】
図５は、タイマ割り込みによって定期的に実行されるパスコード定期チェックルーチン３００のフローチャートを示す。
パスコード定期チェックルーチン３００では、プロセッサ１１は、パスコードチェックルーチン４００を実行した後、パスコードのチェック結果を判定する（３０１）。プロセッサ１１は、パスコードＯＫの場合は、このルーチンを終了し、パスコードＮＧの場合は、ノード識別情報を含むアラームメッセージを監視センタ３に送信して（３０２）、このルーチンを終了する。但し、アラームメッセージを送信した後で、プロセッサ１１が、主プログラムの実行を終了し、センサノードとしての機能を停止するようにしてもよい。
【００３６】
上記実施例によれば、起動ルーチン１００を実行した時、パスコードのチェック結果がＮＧの場合、プロセッサ１１は、主プログラム２００を実行することなく、起動ルーチン１００を終了する。つまり、センサノードＳＮに、予め対応付けられた適性なコード情報保持媒体５が接続されていなければ、センサノードＳＮが機能しないため、稼動中の監視システムからセンサノードＳＮが盗まれたとしても、それに付随するコード情報保持媒体５がなければ、センサノードを他の監視システムに転用すること不可能となる。
【００３７】
図７は、コード情報保持媒体５の１実施例を示す断面図である。
５０は、コード情報保持媒体５の基板であり、その表面には配線パターン（図３のＣ１〜Ｃｎ）５２が形成され、裏面には粘着層５４が形成されている。５３は、配線パターン５２の端に形成された端子（入、出力端子ＴＩ−ｊ、ＴＯ−ｊ）であり、セキュリティパスコード・インタフェース１７との接続線Ｌと結合されている。コード情報保持媒体５が未使用状態にあるとき、粘着層５４の表面は、保護フィルムによって覆われている。センサノードＳＮを監視現場に設置する時、保護フィルムを剥がして、コード情報保持媒体５が、センサノード近傍の壁面または柱に張られる。
【００３８】
基板５０の裏面には、現場に設置済みのコード情報保持媒体５を引き剥がし方向に無理な力が加わった時、基板が割れて配線パターン５２が断線するように、切り欠き５１が形成されている。
【００３９】
図８は、コード情報保持媒体５の他の実施例を示す平面図である。
パスコード媒体５は、裏面に形成された粘着層によって、壁面に張られている。６は、セキュリティパスコードが目視によって読み取られないように、配線パターンＣ１〜Ｃｎの主要部を覆って壁面に張られた粘着テープを示している。粘着テープ６としては、これを無理に引き剥がそうとしたとき、配線パターンＣ１〜Ｃｎが破壊されるように、強力な粘着性をもったものが適用される。
【００４０】
コード情報保持媒体５としては、図７に示した破断用の切り欠き５１をもつものを適用できる。この場合、例えば、粘着テープ６の両端部分を壁面から剥がした状態で、コード情報保持媒体５を壁面から剥がそうとしても、切り欠き５１に沿って媒体基板が割れ、配線パターンが破壊されるため、センサノードＳＮの再利用を防止できる。また、センサノードＳＮと一緒に、接続線Ｌ（ＩＮ）、Ｌ（ＯＵＴ）が無理に引っ張られた時も、コード情報保持媒体５に係る応力が切り欠き５１に集中し、配線パターンが破壊される。
尚、粘着テープ６の代わりに金属製の留具を適用し、コード情報保持媒体５を引き剥がそうとした時、配線パターンが損傷して、セキュリティパスコードが異なった値になるようにしてもよい。
【００４１】
上述したように、コード情報保持媒体５とパスコード・インタフェース１７とを接続線Ｌによって結合した構成の場合、例えば、誰かがセンサノードＳＮを持ち去ろうとして接続線Ｌが外れた時、パスコード定期チェックルーチン３００によって異常を検知し、監視センタにアラームメッセージを送信することができる。誰かがセンサノードＳＮの向きを無理に変えようとした場合も、同様である。
【００４２】
図９は、本発明によるセンサノードＳＮの他の実施例を示す。
本実施例のセンサノードＳＮでは、コード情報保持媒体５として、半導体ＩＣを内蔵したＲＦＩＤ（Radio Frequency Identification）デバイス５Ａを適用し、図１に示したセキュリティパスコード・インタフェース１７として、アンテナ２６を備えたＲＦＩＤリーダ１７Ａを適用している。ＲＦＩＤシステムでは、ＲＦＩＤリーダ１７Ａから無線で読取り信号を送信することによって、付近に位置したＲＦＩＤデバイス５Ａから情報を読み取ることができる。
【００４３】
従って、ＲＦＩＤデバイス５Ａにセキュリティパスコードを記憶しておき、アンテナ２６からの微弱電波が到達する範囲内にＲＦＩＤデバイス５Ａを設置しておけば、ＲＦＩＤリーダ１７Ａに読取り指令を与えることによって、セキュリティパスコードを読取ることができ、図６で説明したパスコードチェックルーチン４００の実行によって、セキュリティパスコードと起動パスコードとを照合することができる。
【００４４】
ＲＦＩＤデバイス５Ａを適用した場合、センサノードＳＮからは独立した状態で、コード情報保持媒体５を監視現場に設置できる。従って、ＲＦＩＤデバイス５Ａを目立たない位置に設置できるため、仮にセンサノードＳＮが盗まれたとしても、これと対をなすＲＦＩＤデバイス５Ａが現場に残されていれば、起動時のパスコードチェックによって、センサノードの再利用を阻止することが可能となる。
【００４５】
コード情報保持媒体５としては、上述した結線シート型、ＲＦＩＤデバイス以外の他の形式のもの、例えば、ＩＣタグ形式ものを適用してもよい。また、実施例で示したパスコードチェックルーチン４００では、起動パスコードが未登録の状態でリセットＳＷが操作された時、セキュリティパスコードを起動パスコードとして登録（４０６）した後、パスコードＯＫの状態でパスコードチェックルーチンを終了したが、起動パスコードの登録時には、表示部２２にリセット要求メッセージを表示して、起動ルーチン１００を終了し、保守員にリセットＳＷを再操作させるようにしてもよい。
【００４６】
このようにすれば、新たなセンサノードＳＮを監視現場に設置したとき、センサノードが初期モードで正常に動作していることを保守員に知らせることができる。保守員がリセットＳＷを再操作した時、セキュリティパスコードと起動パスコードとの一致が確認され、パスコードＯＫとなるため、センサノードは、ノード機能に問題がなければ、確実に主プログラム２００の実行モードに移行できる。
【図面の簡単な説明】
【００４７】
【図１】本発明によるセンサノードの１実施例を示す図。
【図２】本発明のセンサノードが適用されるセンサネットの構成例を示す図。
【図３】コード情報保持媒体５とパスコード・インタフェース１７の１実施例を示す図。
【図４】本発明のセンサノードＳＮで実行される起動ルーチン１００の１実施例を示すフローチャート。
【図５】本発明のセンサノードＳＮで実行されるパスコード定期チェックルーチン３００の１実施例を示すフローチャート。
【図６】本発明のセンサノードＳＮで実行されるパスコードチェックルーチン４００の１実施例を示すフローチャート。
【図７】結線シート型コード情報保持媒体５の１実施例を示す断面図。
【図８】結線シート型コード情報保持媒体５の他の実施例を示す図。
【図９】本発明によるセンサノードの他の実施例を示す図。
【符号の説明】
【００４８】
ＳＮ：センサノード、２：無線基地局、３：監視センタ、５：コード情報保持媒体、１１：プロセッサ、１２：ＲＯＭ、１２：ＥＥＰＲＯＭ、１４：ＲＡＭ、１５：ＲＦ回路、１６：表示制御回路、１７：パスコード・インタフェース、２１：センサ部、２２：表示部、２３：電源、２４：電源ＳＷ、２５：リセットＳＷ、１００：起動ルーチン、１３０：起動パスコード、２００：主プログラム、３００：パスコード定期チェックルーチン。
【図１】
2008124880.tif 000003
【図２】
2008124880.tif 000004
【図３】
2008124880.tif 000005
【図４】
2008124880.tif 000006
【図５】
2008124880.tif 000007
【図６】
2008124880.tif 000008
【図７】
2008124880.tif 000009
【図８】
2008124880.tif 000010
【図９】
2008124880.tif 000011